(57)【特許請求の範囲】
【請求項１】
カード型の磁気記録媒体に対して磁気データの読み取り／書き込みを行う磁気記録媒体処理装置に装着される磁気ヘッド組であって、
前記磁気データの読み取り／書き込みをする磁気ヘッドと、
前記磁気ヘッドを固定すると共に前記磁気記録媒体の磁気ストライプ面に対して垂直方向に変位自在に保持するヘッドブラケットと、
前記ヘッドブラケットを保持すると共に、当該磁気ヘッド組を前記磁気記録媒体処理装置内の所定の位置に所定の傾斜角となるように取り付ける取付部を有する枠体と、
前記磁気ヘッドの種類を識別するヘッド識別部を有し、前記磁気ヘッドと電気的に接続されたフレキシブル基板と、を備え、
前記枠体が有する取付部は、前記磁気記録媒体処理装置の搬送基準面となるフレーム面に設けられるものであって、前記磁気記録媒体が搬送される搬送路に対して前記枠体を位置決めする位置決め部と、前記枠体を着脱可能にする固定部とを有することを特徴とする磁気ヘッド組。
【請求項２】
前記位置決め部は、前記枠体に設けられたボスと前記磁気記録媒体処理装置側に設けられたボス孔とで構成され、
前記固定部が、前記枠体に設けられたタップ孔と前記磁気記録媒体処理装置側に設けられたタッピング螺子とで構成されていることを特徴とする請求項１に記載の磁気ヘッド組。
【請求項３】
前記ヘッド識別部は、前記フレキシブル基板の前記磁気ヘッドが取り付けられている一端とは反対側の端部に設けられた、ジャンパー素子を含む識別回路であって、前記ジャンパー素子の接続の組み合わせに基づき、上位装置による前記磁気ヘッドの種類の識別を可能にしたことを特徴とする請求項１又は２に記載の磁気ヘッド組。
【請求項４】
磁気記録媒体を搬送する搬送路を形成するフレームと、請求項１〜３のいずれかに記載の磁気ヘッド組とを少なくとも備える磁気記録媒体処理装置であって、
前記磁気ヘッド組は、当該磁気ヘッド組の枠体の取付部が前記フレームに取り付けられることにより、当該磁気記録媒体処理装置内の所定の位置に所定の傾斜角で固定されていることを特徴とする磁気記録媒体処理装置。
【請求項５】
前記フレームは、前記磁気ヘッド組の枠体の取付部に対する取付受部を有することを特徴とする請求項４に記載の磁気記録媒体処理装置。
【請求項６】
カード型の磁気記録媒体に対して磁気データの読み取り／書き込みを行う磁気記録媒体処理装置用磁気ヘッドを保持する枠体であって、
磁気ヘッドを固定するヘッドブラケットを前記磁気記録媒体の磁気ストライプ面に対して垂直方向に変位自在に保持するための複数のガイドピンと、
保持する磁気ヘッドを前記磁気記録媒体処理装置内の所定の位置に所定の傾斜角となるように取り付ける取付部とを有し、
前記取付部は、前記磁気記録媒体処理装置の搬送基準面となるフレーム面に設けられるものであって、前記磁気記録媒体が搬送される搬送路に対して当該枠体を位置決めする位置決め部と、当該枠体を着脱可能にする固定部とを有し、
当該枠体がエンジニアプラスチックで形成されていることを特徴とする枠体。
【発明の詳細な説明】
【技術分野】
【０００１】
本発明は、カード型の磁気記録媒体の磁気データを処理する磁気ヘッド組、磁気記録媒体処理装置及び磁気ヘッド保持用の枠体に関し、特に、磁気ヘッド組の構造に関するものである。
【背景技術】
【０００２】
従来、磁気ヘッドがホルダーに固定され、そのホルダーが第１駆動ローラと第２駆動ローラとの間に設けられたベースに対して上下動自在に配設されている磁気カードリーダライタが知られている（例えば特許文献１の段落番号００１４及び図１並びに図３参照。）。この磁気カードリーダライタの磁気ヘッドは、押圧バネを介して磁気カードリーダライタのベースに取り付けられている。
【０００３】
また、従来の磁気ディスク装置は、ヘッドＩＣを容易且つ確実に識別するために、印刷配線基板上に３つのチップ抵抗Ｒ１〜Ｒ３及びコネクタピンを実装し、ヘッドＩＣを先端に実装したフレキシブルケーブルを接続しているものが知られている（例えば特許文献２参照。）。この磁気ディスク装置は、検査装置の探針を印刷配線基板に設けられているコネクタピンに接続して、チップ抵抗Ｒ１〜Ｒ３のインピーダンスを測定することにより、ヘッドＩＣを識別することが可能となっている。
【０００４】
ところで、クレジットカード等に記録されている磁気データを処理する磁気記録媒体処理装置を長期間使用すると、磁気データの読み取り／書き込みを行う磁気ヘッドに摩耗が発生する。磁気ヘッドの摩耗が進行して使用限界を超えると、磁気データの読み取り／書き込みを正常に行うことができなくなるので、定期的に交換しなければならない。特に、屋外や塵埃の多い所に設置されている磁気記録媒体処理装置では、磁気ヘッドの摩耗が進行し易い傾向がある。
【０００５】
磁気ヘッドを交換する際には、摩耗した磁気ヘッドを取り外して新しい磁気ヘッドを取り付けると共に、マスターとなる磁気記録媒体の磁気ストライプに記録されている磁気情報に対して磁気ヘッドのギャップの傾斜角を合わせるためのアジマス調整を行わなければならない。
【０００６】
また、磁気ヘッドには、高抗磁力の磁性体に対応したもの、低抗磁力の磁性体に対応したもの、読み取り専用磁気ヘッド、読み書き兼用磁気ヘッド、長寿命の硬質ヘッドなど、用途に応じて多種の磁気ヘッドがあり、上位の装置ではこの磁気ヘッドの種類に応じて異なった磁気情報の処理や制御を行っている。
【特許文献１】特開平７−１７５８９６号公報（段落番号００１４、第１図、第３図）
【特許文献２】特開２００４−２４１０３３号公報（第３図、第４図）
【発明の開示】
【発明が解決しようとする課題】
【０００７】
しかしながら、特許文献１の磁気カードリーダライタでは、磁気ヘッドをカードリーダに取り付ける際に磁気ヘッドのアジマス調整をする必要があり、手間がかかり、また、取り付けられている磁気ヘッドの種類を上位の装置が自動で認識することも困難であると推測される。
【０００８】
また、特許文献２に記載の磁気ディスク装置では、チップ抵抗Ｒ１〜Ｒ３のインピーダンスを測定することによりヘッドＩＣを識別することが可能となっているが、チップ抵抗Ｒ１〜Ｒ３とコネクタピンを実装するための印刷配線基板が必要であるという不具合を生じている。
【０００９】
本発明は、上記課題を解決するためになされたものであって、その目的は、磁気ヘッドの取り付け作業を容易に行うと共にメンテナンス費用を低減することができる磁気ヘッド組、磁気記録媒体処理装置及び磁気ヘッド保持用の枠体を提供することにある。また、本発明の他の目的は、磁気記録媒体処理装置に取り付けられた磁気ヘッドの種類や構成を、上位の装置が自動で識別可能とする磁気ヘッド組、磁気記録媒体処理装置並びに磁気ヘッド保持用の枠体を提供することにある。
【課題を解決するための手段】
【００１０】
上記課題を解決するための本発明の磁気ヘッド組は、カード型の磁気記録媒体に対して磁気データの読み取り／書き込みを行う磁気記録媒体処理装置に装着される磁気ヘッド組であって、前記磁気データの読み取り／書き込みをする磁気ヘッドと、前記磁気ヘッドを固定すると共に前記磁気記録媒体の磁気ストライプ面に対して垂直方向に変位自在に保持するヘッドブラケットと、前記ヘッドブラケットを保持すると共に、当該磁気ヘッド組を前記磁気記録媒体処理装置内の所定の位置に所定の傾斜角となるように取り付ける取付部を有する枠体と、前記磁気ヘッドの種類を識別するヘッド識別部を有し、前記磁気ヘッドと電気的に接続されたフレキシブル基板と、を備えることを特徴とする。
【００１１】
この発明によれば、磁気ヘッドを備えたヘッドブラケットを保持すると共に、磁気記録媒体処理装置内の所定の位置に所定の傾斜角となるように取り付けられる枠体を備えるので、摩耗等により交換が必要となった磁気ヘッドを、磁気ヘッド組毎に容易且つ位置精度よく交換することができる。その結果、磁気ヘッドを組み付けた枠体により構成される磁気ヘッド組の互換性を確保することができる。さらに、この発明によれば、磁気ヘッド組がヘッド識別部を有するフレキシブル基板を備えるので、交換された磁気ヘッド組が備える磁気ヘッドを容易に識別することができ、摩耗等により交換した磁気ヘッドの種類を間違うことがない。
【００１２】
本発明の磁気ヘッド組において、前記ヘッド識別部は、前記フレキシブル基板の前記磁気ヘッドが取り付けられている一端とは反対側の端部に設けられた、ジャンパー素子を含む識別回路であって、前記ジャンパー素子の接続の組み合わせに基づき、上位装置による前記磁気ヘッドの種類の識別を可能にしたことを特徴とする。
【００１３】
この発明によれば、ジャンパー素子を含む識別回路を、磁気ヘッドが取り付けられている一端とは反対側の端部に設けるので、単純で短い回路の配線構成とすることができる。その結果、断線や短絡等による磁気ヘッドの誤認識を防止することができる。
【００１４】
本発明の磁気ヘッド組において、前記枠体が有する取付部は、前記磁気記録媒体が搬送される搬送路に対して前記枠体を位置決めする位置決め部と、前記枠体を着脱可能にする固定部とを有することを特徴とする。
【００１５】
この発明によれば、取付部が、磁気記録媒体が搬送される搬送路に対して枠体を位置決めする位置決め部と枠体を着脱可能にする固定部とを有するので、搬送路に対する枠体の位置決めを正確に行うことができる。その結果、枠体に固定された磁気ヘッドを、磁気記録媒体が搬送される搬送路に対して位置決めすることができ、磁気記録媒体に対する磁気データの読み取り／書き込みを正確に行うことができる。また、枠体が有するこうした取付部により、磁気記録媒体処理装置を構成する磁気ヘッド組の交換を容易に行うことができる。
【００１６】
上記課題を解決するための本発明の磁気記録媒体処理装置は、磁気記録媒体を搬送する搬送路を形成するフレームと、請求項１〜３のいずれかに記載の磁気ヘッド組とを少なくとも備える磁気記録媒体処理装置であって、前記磁気ヘッド組は、当該磁気ヘッド組の枠体の取付部が前記フレームに取り付けられることにより、当該磁気記録媒体処理装置内の所定の位置に所定の傾斜角で固定されていることを特徴とする。
【００１７】
この発明によれば、磁気ヘッド組の枠体の取付部が、磁気記録媒体を搬送する搬送路を形成するフレームに取り付けられているので、搬送路に対する枠体の位置決めを正確に行うことができる。その結果、磁気ヘッド組の枠体に固定された磁気ヘッドを、磁気記録媒体が搬送される搬送路に対して位置決めすることができ、磁気記録媒体に対する磁気データの読み取り／書き込みを正確に行うことができる。また、本発明の磁気記録媒体処理装置は、磁気ヘッド組の交換を容易に行うことができるので、ヘッド摩耗等により交換が必要となった磁気ヘッド組を容易且つ位置精度よく交換することができる。さらに、この発明の磁気記録媒体処理装置は、磁気ヘッド組がヘッド識別部を有するフレキシブル基板を備えるので、交換された磁気ヘッド組が備える磁気ヘッドを容易に識別することができ、摩耗等により交換した磁気ヘッドの種類を間違うことがない。
【００１８】
本発明の磁気記録媒体処理装置において、前記フレームは、前記磁気ヘッド組の枠体の取付部に対する取付受部（装置側取付部）を有することを特徴とする。
【００１９】
この発明によれば、フレームが磁気ヘッド組の枠体の取付部に対する取付受部（）を有するので、搬送路に対する枠体の位置決めを、その取付受部（装置側取付部）により、正確に行うことができる。
【００２０】
上記課題を解決するための本発明の枠体は、カード型の磁気記録媒体に対して磁気データの読み取り／書き込みを行う磁気記録媒体処理装置用磁気ヘッドを保持する枠体であって、磁気ヘッドを固定するヘッドブラケットを前記磁気記録媒体の磁気ストライプ面に対して垂直方向に変位自在に保持するための複数のガイドピンと、保持する磁気ヘッドを前記磁気記録媒体処理装置内の所定の位置に所定の傾斜角となるように取り付ける取付部とを有し、エンジニアリングプラスチックで形成されていることを特徴とする。
【００２１】
この発明によれば、磁気ヘッドを固定するヘッドブラケットを磁気ストライプ面に対して垂直方向に変位自在に保持するための複数のガイドピンと、保持する磁気ヘッドを磁気記録媒体処理装置内の所定の位置に所定の傾斜角となるように取り付ける取付部とを有するので、磁気記録媒体処理装置内の所定の位置に所定の傾斜角となるように取り付けることが可能な磁気ヘッド組の枠体となる。また、こうした枠体が、剛性を有するエンジニアリングプラスチックで形成されるので、枠体を小型且つ軽量で安価なものとすることができる。なお、エンジニアリングプラスチックとしては、例えば、ＰＰＳ（ポリフェニレンサルファイド）、ｍ−ＰＰＥ（変成ポリフェニレンエーテル）、ＰＣ（ポリカーボネート）等が挙げられる。
【発明の効果】
【００２２】
本発明の磁気ヘッド組によれば、摩耗等により交換が必要となった磁気ヘッドを磁気ヘッド組毎に容易且つ位置精度よく交換することができるので、磁気ヘッドを組み付けた枠体により構成される磁気ヘッド組の互換性を確保することができると共に、アジマスなどの調整作業を省略することができる。さらに、交換された磁気ヘッド組が備える磁気ヘッドを容易に識別することができ、摩耗等により交換した磁気ヘッドの種類を間違うことがない。よって、摩耗等による磁気ヘッドの交換作業が容易になり、磁気記録媒体処理装置のメンテナンス費用を低減することができる。
【００２３】
本発明の磁気記録媒体処理装置によれば、搬送路に対する枠体の位置決めを正確に行うことができるので、磁気ヘッド組の枠体に固定された磁気ヘッドを磁気記録媒体が搬送される搬送路に対して位置決めすることができ、磁気記録媒体に対する磁気データの読み取り／書き込みを正確に行うことができる。また、磁気ヘッド組の交換を容易に行うことができるので、ヘッド摩耗等により交換が必要となった磁気ヘッド組を容易且つ位置精度よく交換することができる。さらに、交換された磁気ヘッド組が備える磁気ヘッドを容易に識別することができ、摩耗等により交換した磁気ヘッドの種類を間違うことがない。よって、摩耗等による磁気ヘッドの交換作業が容易になり、磁気記録媒体処理装置のメンテナンス費用を低減することができる。
【００２４】
本発明の枠体によれば、磁気記録媒体処理装置内の所定の位置に所定の傾斜角となるように取り付けることが可能な磁気ヘッド組の枠体となる。また、こうした枠体を小型且つ軽量で安価なものとすることができる。
【発明を実施するための最良の形態】
【００２５】
以下、本発明の磁気ヘッド組、磁気記録媒体処理装置及び磁気ヘッド保持用の枠体について、図面を参照しつつ説明する。なお、本発明は、その技術的特徴を有する範囲において、以下の説明及び図面に限定されるものではない。
【００２６】
図１は、本発明の磁気記録媒体処理装置の一例を示す平面図であり、図２は、図１におけるＡ−Ａ’断面図である。また、図３は、本発明の磁気ヘッド組の一例を示す平面図であり、図４は、図３に示す磁気ヘッド組の正面図であり、図５は、図３に示す磁気ヘッド組の下面図である。
【００２７】
本発明の磁気記録媒体処理装置１０は、図１及び図２に示すように、カード型の磁気記録媒体８を搬送する搬送路１２を形成するフレーム１３ａ，１３ｂと、その磁気記録媒体に対して磁気データの読み取り／書き込みを行う磁気ヘッド組８０とを少なくとも備えている。そして、磁気ヘッド組８０は、磁気ヘッド組８０が備える枠体６０の取付部７４が、取付部側のフレーム１３ａに取り付けられることにより、磁気記録媒体処理装置内の所定の位置に所定の傾斜角で固定されている。なお、本願において、「所定の傾斜角」とは、磁気記録媒体の搬送方向（磁気ストライプの長手移動）に対する磁気ヘッドギャップの傾斜角であり、本実施形態の場合、磁気記録媒体の搬送方向に対して磁気ヘッドのギャップが垂直になるよう調整している。
【００２８】
本発明の磁気記録媒体処理装置１０に装着される磁気ヘッド組８０は、図３〜図５に示すように、磁気データの読み取り／書き込みをする磁気ヘッド２２，２４と、磁気ヘッド２２，２４を固定すると共に磁気記録媒体８の磁気ストライプ６面に対して垂直方向に変位自在に保持するヘッドブラケット６２，６４と、ヘッドブラケット６２，６４を保持すると共に、磁気ヘッド組８０を磁気記録媒体処理装置１０内の所定の位置に所定の傾斜角となるように取り付ける取付部７４を有する枠体６０と、磁気ヘッド２２，２４の種類を識別するヘッド識別部５３を有し、磁気ヘッド２２，２４と電気的に接続されたフレキシブル基板５０とを備えている。
【００２９】
磁気記録媒体処理装置１０は、利用者が、クレジットカード、プリペイドカード、キャッシュカード等のカード型の磁気記録媒体８を記録媒体取入口１４に挿入すると、磁気記録媒体８が磁気記録媒体処理装置１０の搬送路１２に沿って搬入され、磁気記録媒体８の磁気ストライプ６に記録されている各種の情報を読み取って、金銭の支払い、預け入れ、振り込み等の処理を行う機能を有するユニットである。本発明の磁気記録媒体処理装置１０は、こうした基本的性能を有するものに対して適用され、下記に説明する内容に限定解釈されるものではない。
【００３０】
磁気記録媒体処理装置１０には、例えば、磁気記録媒体８が挿入される記録媒体取入口１４と、挿入された磁気記録媒体８を搬送路１２に沿って搬送するための搬送ローラ１６及び従動ローラ１７と、挿入された磁気記録媒体８の大きさや存在位置を確認する複数のフォトセンサ１８と、磁気ストライプ６に記録されている各種の情報を読み取り／書き込みを行う磁気ヘッド２２，２４と、磁気記録媒体８を磁気ヘッド２２，２４に押し付けるアイドラー２６とが設けられている。なお、本願において、「読み取り／書き込み」とは、読み取り及び／又は書き込みを意味する。
【００３１】
磁気記録媒体処理装置１０の記録媒体取入口１４付近には、通常、磁気記録媒体８が挿入されたことを検出する挿入センサ３０が配置されている。この挿入センサ３０は、利用者が磁気記録媒体８を記録媒体取入口１４に挿入したことを検出し、その挿入センサ３０で検出された信号は、磁気記録媒体処理装置１０の制御手段９８に伝達する。
【００３２】
挿入センサ３０が磁気記録媒体８の挿入を検出すると、制御手段９８は、搬送ローラ１６を回転させる信号を送りドライバ８４に出力する。この出力により、制御手段９８は、磁気記録媒体８を磁気記録媒体処理装置１０の奥側に搬入する処理を行う。
【００３３】
搬送ローラ１６は、磁気記録媒体８と接触し、磁気記録媒体８を搬送路１２に沿って搬入、排出をするための搬送を行う。この搬送ローラ１６によって、磁気ヘッド２２，２４と磁気ストライプ６とが相対的に摺動し、磁気ヘッド２２，２４によって、磁気データの読み取り／書き込みが行われる。
【００３４】
磁気記録媒体処理装置１０には、送りドライバ８４と送りモータ３４とが備えられている。送りドライバ８４は、制御手段９８から入力した回転速度信号又は位置信号に基づいて、送りモータ３４の駆動信号を出力する。送りモータ３４は、送りドライバ８４から入力した駆動信号に基づいてタイミングベルト等の伝達手段を介して搬送ローラ１６を回転させる。そして、送りドライバ８４と送りモータ３４とによる磁気記録媒体８の送りは、制御手段９８の指令に基づいて制御することができるようになっている。
【００３５】
磁気ヘッド２２，２４の入出力端子は、フレキシブル基板５０を介してヘッドアンプ８８の入出力端子に接続されている。磁気ヘッド２２，２４の入出力端子に入力した記録信号は、磁気記録媒体８を搬送しながら磁気ヘッド２２，２４に出力されることにより、各種の情報を磁気ストライプ６に記録することができる。
【００３６】
磁気記録媒体８の磁気ストライプ６に記録された磁気情報を読み取る場合において、制御手段９８が磁気記録媒体８を搬送路１２に沿って搬送すると、磁気ストライプ６に記録されている各種の情報が磁気ヘッド２２，２４から出力される。磁気ヘッド２２，２４から出力された情報は、ヘッドアンプ８８により増幅され、イコライジング、フィルタリング等の処理を行った後に制御手段９８又は外部に出力される。
【００３７】
フレキシブル基板５０は、磁気ヘッド２２，２４の種類を識別するヘッド識別部５３を少なくとも有し、磁気ヘッド２２，２４と電気的に接続されている。そして、そのヘッド識別部５３は、識別抵抗５６等のジャンパー素子を含む識別回路であって、そのジャンパー素子の接続の組み合わせに基づき、上位装置による磁気ヘッド２２，２４の種類の識別を可能にしたものである。
【００３８】
より詳しくは、フレキシブル基板５０は、図１及び図５に示すように、磁気ヘッド２２，２４の入出力端子及びアースラインをヘッドアンプ８８に接続する接続線５２と、磁気ヘッド２２，２４の特性、材質、構成等の磁気ヘッドの種類を識別するための識別抵抗５６及びその識別抵抗５６の接続線５４からなるヘッド識別部５３と、を備えている。
【００３９】
ヘッド識別部５３が有する識別抵抗５６の抵抗値は、接続されている磁気ヘッド２２，２４が、高抗磁力磁性体用のヘッドであるか否か、低抗磁力磁性体用のヘッドであるか否か、読み取り専用磁気ヘッドであるか否か、読み書き兼用ヘッドであるか否か、長寿命の硬質ヘッドであるか否か等を自動で判断する。こうした判断は、制御手段９８が読み取って、例えばＲＯＭ等の記録手段に記録されているテーブルを参照して行うことができる。これにより、制御手段９８又は上位の装置は、磁気記録媒体処理装置１０に取り付けられている磁気ヘッド２２，２４の種類に応じた磁気情報の処理や制御を行うことができる。
【００４０】
また、磁気ヘッド２２，２４の材質や種類毎に使用回数や使用環境に基づいた寿命が経験的に既知となっている場合には、制御手段９８は、取り付けられている磁気ヘッド２２，２４の材質や種類、及びその使用回数によって、磁気ヘッド２２，２４の交換時期を上位の装置に通知することも可能である。
【００４１】
なお、ジャンパー素子である識別抵抗５６として、所定の抵抗値を有しているものを用いてもよいし、０Ω抵抗やジャンパー線を用いることもできる。
【００４２】
また、識別抵抗５６等のジャンパー素子を有するヘッド識別部５３は、フレキシブル基板５０の磁気ヘッド２２，２４が取り付けられている一端とは反対側の端部に設けられていることが好ましい。すなわち、フレキシブル基板５０に設けられるヘッド識別部５３を図１に示すコネクタの近傍に配置することにより、識別抵抗５６の接続線５４を単純で短い配線構成とすることができる。その結果、断線や短絡等に基づく磁気ヘッド２２，２４を誤認識する不具合を減少させることができる。
【００４３】
次に、本発明の磁気ヘッド組について詳しく説明する。図３は、本発明の磁気ヘッド組の一例を示す平面図であり、図４は、図３に示す磁気ヘッド組の正面図であり、図５は、図３に示す磁気ヘッド組の下面図である。
【００４４】
磁気ヘッド２２，２４は、図２及び図５に示すように、ヘッドブラケット６２，６４に接着等により固定されると共に、磁気記録媒体８の磁気ストライプ６面に対して垂直方向に変位自在となるように保持されている。本願では、磁気ヘッドとして、２つの磁気ヘッド２２，２４を分割したような形態からなるものを示しているが、必ずしも分割構造の磁気ヘッドでなくてもよく、一体型の磁気ヘッド（いわゆるマルチヘッド）であっても構わない。なお、本願のような分割構造の磁気ヘッド２２，２４を用いれば、幅方向に湾曲変形したような磁気記録媒体８に対しても、その磁気ストライプ６面に追従して良好な読み取り／書き込みを行うことができるという利点がある。
【００４５】
ヘッドブラケット６２，６４にはピン孔６６，６８が設けられている。このピン孔６６，６８は、枠体６０に設けられたガイドピン７０，７２と協働して、磁気ストライプ６の面に対して垂直方向に磁気ヘッド２２，２４を変位自在に保持する。さらに、そのピン孔６６，６８は、ガイドピン７０，７２と協働して、磁気ヘッド２２，２４を磁気記録媒体８の磁気ストライプ６面と接触して摺動させるように所定の位置に定めると共に磁気ヘッド２２，２４のギャップの傾斜角を磁気ストライプ６に記録されている磁極に合わせる。
【００４６】
枠体６０には、上記のようなガイドピン７０，７２が設けられている。ガイドピン７０，７２は、枠体６０に圧入したものであってもよいし、枠体６０と共にインサート成形したものであってもよいし、枠体６０と一体に成形したものであってもよい。
【００４７】
ガイドピン７０，７２は、上記のピン孔６６，６８と協働して、磁気ヘッド２２，２４を磁気記録媒体８の磁気ストライプ６の面内の所定の位置に定め、磁気ヘッド２２，２４のギャップを所定の傾斜角に定めると共に、磁気ストライプ６の面に対して垂直の方向に磁気ヘッド２２，２４を変位自在に保持する機能を有する。
【００４８】
ヘッドブラケット６２，６４は、押圧バネ７６の付勢力によって磁気ヘッド２２，２４を磁気記録媒体８の方向に押圧している。これにより、磁気記録媒体８が湾曲している場合であっても、磁気ヘッド２２，２４を磁気記録媒体８の磁気ストライプ６に所定の力で安定して接触させることができるので、磁気情報の読み出し／書き込みを、より確実に行うことができる。なお、図２に示す例では、磁気ヘッド２２，２４の垂直方向の変位を制限するストロークストッパ７８を設けてある。
【００４９】
また、枠体６０には、枠体６０を磁気記録媒体処理装置１０の装置側取付部（図１に示すボス孔９０及び装置側取付面９４）に取り付けるための、枠体側取付部７４を設けてある。枠体側取付部７４は、ヘッドブラケット６２，６４を保持すると共に、磁気ヘッド組８０を磁気記録媒体処理装置１０内の所定の位置に所定の傾斜角となるように取り付けるためのものであり、磁気記録媒体８が搬送される搬送路１２を形成する取付部側のフレーム１３ａに対して枠体６０を位置決めする位置決め部（図３に示すタップ孔８４及びボス８６）と、枠体６０を着脱可能にする固定部（図３に示す枠体側取付面８２）とを有している。
【００５０】
取付部側のフレーム１３aは、カード型の磁気記録媒体８の搬送時に、搬送基準面となる。したがって、本発明に係る磁気ヘッド組８０の枠体６０を取付部側のフレーム１３aに固定することにより、磁気ヘッド２２，２４を磁気記録媒体８の磁気ストライプ６面と接触する位置に、取付部側のフレーム１３aを基準にして精度よく配置することができる。
【００５１】
具体的には、枠体側取付部７４は、図３〜図５に示すように、磁気ヘッド組８０を図２に示すＸ−Ｚ平面に沿って位置決めする枠体側取付面８２と、磁気ヘッド組８０を磁気記録媒体処理装置１０内の取付部側のフレーム１３ａに固定するタッピン螺子９２を螺入するタップ孔８４と、磁気ヘッド組８０を図２に示すＸ方向並びにＺ方向に対して位置決めすると共に図１に示すＹ軸回りの角度を定めるボス８６とを備えている。
【００５２】
図１及び図４に示す例では、磁気ヘッド組８０のボス８６を、磁気記録媒体処理装置１０内の取付部側のフレーム１３ａに設けられたボス孔９０（図１参照）に挿入し、磁気ヘッド組８０を２本のタッピン螺子９２（図１参照）で磁気記録媒体処理装置１０に取り付けている。その結果、磁気ヘッド２２，２４の位置決めのための調整や、磁気ヘッド２２，２４のアジマス調整等の特段の調整作業が不要となる。
【００５３】
この枠体側取付部７４と磁気ヘッド２２，２４との位置の関係、並びに磁気ヘッド２２，２４のギャップの傾斜角は、磁気ヘッド組８０の組立時に生産工場内で調整される。特に、磁気ヘッド２２，２４の位置とギャップの傾斜角とは、枠体側取付部７４を基準にして所定の公差の範囲内に収まるように、例えば磁気ヘッド２２，２４のギャップを顕微鏡で干渉縞等を用いて観察して調整し、接着、螺子止め等によってヘッドブラケット６２，６４に固定することにより調整される。
【００５４】
このように磁気ヘッド組８０を構成することによって、磁気記録媒体処理装置１０における磁気ヘッド組８０の互換性を確保することができる。その結果、交換現場でのアジマス調整等の作業を省略することができ、磁気ヘッドの交換作業が容易となる。
【００５５】
磁気ヘッド２２，２４の近傍には、通常、磁気記録媒体８の大きさや存在位置を検出する複数のフォトセンサ１８を設けるのが一般的である。したがって、磁気ヘッド２２，２４を保持する枠体６０に、フォトセンサ１８と、そのフォトセンサ１８を実装する基板とを取り付けることも考えられるが、このように枠体６０にフォトセンサ１８を搭載した場合には、枠体６０が大型になる傾向がある。
【００５６】
枠体が大型になると、枠体の曲げ剛性やねじり剛性が低下するために、枠体の素材にヤング率の高いアルミニウム等の金属を用いる必要がある。また、磁気ヘッドが摩耗した際には、まだ十分に使用可能なフォトセンサ及び基板を搭載した磁気ヘッド組をアッセンブリー交換するのが一般的であり、この場合には省資源の観点からも好ましくない。
【００５７】
ところが、枠体にフォトセンサを搭載しない場合には、枠体を小型にすることができるので、金属素材に代えて成形が容易で安価な樹脂を素材として用いることができる。この枠体用の素材として、取付部であっても後加工が不要で、タッピン螺子を用いることが可能なエンジニアリングプラスチックを用いることが好ましい。特に、ＰＰＳ（ポリフェニレンサルファイド）、ｍ−ＰＰＥ（変成ポリフェニレンエーテル）、ＰＣ（ポリカーボネート）等のエンジニアリングプラスチックを用いるとよい。
【００５８】
このように、本発明によれば、磁気ヘッドの交換作業を容易にすることができ、磁気ヘッド組の価格を低減させて磁気記録媒体処理装置のメンテナンス費用を安くすることができる。
【図面の簡単な説明】
【００５９】
【図１】本発明の磁気記録媒体処理装置の一例を示す平面図である。
【図２】図１におけるＡ−Ａ’断面図である。
【図３】本発明の磁気ヘッド組の一例を示す平面図である。
【図４】図３に示す磁気ヘッド組の正面図である。
【図５】図３に示す磁気ヘッド組の下面図である。
【符号の説明】
【００６０】
６  磁気ストライプ
８  磁気記録媒体
１０  磁気記録媒体処理装置
１２  搬送路
１３ａ，１３ｂ  フレーム
１４  記録媒体取入口
１６  搬送ローラ
１８  フォトセンサ
２２，２４  磁気ヘッド
２６  アイドラー
３０  挿入センサ
９８  制御手段
８４  送りドライバ
３４  送りモータ
８８  ヘッドアンプ
５０  フレキシブル基板
５２，５４  接続線
５３  ヘッド識別部
５６  識別抵抗
６２，６４  ヘッドブラケット
６６，６８  ピン孔
６０  枠体
７０，７２  ガイドピン
７４  取付部
７６  押圧バネ
７８  ストロークストッパ
８０  磁気ヘッド組
８２  枠体側取付面
８４  タップ孔
８６  ボス
９０  ボス孔
９２  タッピン螺子
９４  装置側取付面
【図１】
0004689411.tif 000002
【図２】
0004689411.tif 000003
【図３】
0004689411.tif 000004
【図４】
0004689411.tif 000005
【図５】
0004689411.tif 000006